(57)【要約】【課題】パネルの円形孔へのグロメット挿入を容易にする。【解決手段】電線束Ｗを挿通したグロメットをパネルＰの円形孔Ｐａ内に挿入する場合に、カバー部材１２の円形孔Ｐａに当てがって押し込むと、カバー部材１２は凹凸面１２ａが円形孔Ｐａの内縁を滑動しながら入り込み、凹凸面１２ａの線分１２ｂを折り込むことにより外径をすぼめると、グロメット本体１１の前端部もこれに追従して外径がすぼまることになる。更に押し込むことにより、カバー部材１２、前端部は円形孔Ｐａ内を潜り抜け、これらはその弾発性により復元し、点線で示すように環状溝１１ｅが円形孔Ｐａの内縁に嵌合する。【選択図】        図５
2004343889.tif 000002
【特許請求の範囲】
【請求項１】
電線束をパネルの円形孔に水密に挿通するためのグロメットであって、前記電線を挿通する円筒部周囲にフランジ状に張り出した略裁頭円錐面とその後方に円環溝とを有するゴム製のグロメット本体と、該グロメット本体の前記円錐面に被着する硬質材料のカバー部材とから成り、前記カバー部材は屈曲によりその外径を可変とし、前記パネルの円形孔に前記カバー部材を被着した円錐面を変形させて挿入し前記円環溝に嵌合することを特徴とするグロメット。
【請求項２】
前記円筒部は前記円錐面の前方及び後方に突出した請求項１に記載のグロメット。
【請求項３】
前記カバー部材は放射状方向の線分を有する凹凸面に形成し、これらの該凹凸面の線分に沿って屈曲可能とした請求項１に記載のグロメット。
【請求項４】
前記カバー部材はリングに複数の可動のひれ状の切片を放射状に取り付け、これらの切片を前記円錐面上に係止した請求項１に記載のグロメット。
【請求項５】
前記カバー部材は金属又は合成樹脂材とした請求項１に記載のグロメット。
【発明の詳細な説明】
【０００１】
【産業上の利用分野】
本発明は、パネルに挿通する電線束等を保護すると共に、パネルの内外を水密に保持するグロメットに関するものである。
【０００２】
【従来の技術】
この種の多くのグロメットは合成ゴムを主体とし、例えば自動車等のエンジンルームと運転席とを仕切るパネルの円形孔に取り付けられ、パネルの内外を通線する電線束の損傷を防止すると共に、パネル内外の防水性を確保している。
【０００３】
【発明が解決しようとする課題】
しかし、このグロメットを電線束を挿通した状態で、パネルの円形孔に嵌め込むことは、グロメットの円錐面がうまくすぼまらずに、熟練を要しなければなかなか難しい。このために、図９に示す例えば特許文献１には、グロメット１の円錐面１２に放射状に線状凸部３を形成することが開示され、この線状凸部３を円形孔に摺接させて抵抗を低減させながら、グロメット１をすぼめて挿入するようにしている。
【特許文献１】
特開平１１−２７８３４号公報
【０００４】
しかし、この従来例においてもグロメットが柔かいゴム製の場合には過大に変形し易く、円形孔を通過させることが困難であり、硬いゴムを用いるとパネルに歪み等がある場合には、円形孔とグロメットとの間に隙間が生ずる場合もあり、その部位の密着度が低下し、水漏れが発生する虞れがある。
【０００５】
本発明の目的は、上述した問題点を解消し、ゴムが柔らかくとも、パネルの円形孔に容易に挿通可能で、密封性の良好なグロメットを提供することにある。
【０００６】
【課題を解決するための手段】
上記目的を達成するための本発明に係るグロメットは、電線束をパネルの円形孔に水密に挿通するためのグロメットであって、前記電線を挿通する円筒部周囲にフランジ状に張り出した略裁頭円錐面とその後方に円環溝とを有するゴム製のグロメット本体と、該グロメット本体の前記円錐面に被着する硬質材料のカバー部材とから成り、前記カバー部材は屈曲によりその外径を可変とし、前記パネルの円形孔に前記カバー部材を被着した円錐面を変形させて挿入し前記円環溝に嵌合することを特徴とする。
【０００７】
【発明の実施の形態】
本発明を図１〜図８に図示の実施例に基づいて詳細に説明する。
図１は第１の実施の形態のグロメットの正面図、図２は側面図、図３は断面図を示しており、グロメットはグロメット本体１１、図４の正面図にも示すカバー部材１２とから構成されている。
【０００８】
柔軟な合成ゴムから成るグロメット本体１１は、電線束を挿通し緊締する第１の小径筒部１１ａと、大径筒部１１ｂ、第２の小径筒部１１ｃが順次に連設されている。大径筒部１１ｂの外周側にフランジ部１１ｄが形成され、その外周に環状溝１１ｅが形成されている。また、フランジ部１１ｄの周囲の第２の小径筒部１１ｃ側に、テーパ状の裁頭円錐部１１ｆが形成されている。更に、第１の小径筒部１ａと大径部１１ｂ間の内部には、柔軟なひれ部１１ｇがオリフィス状に形成されている。
【０００９】
カバー部材１２は例えば硬質の合成樹脂又は金属から成り、略円環状とされ、グロメット本体１１の裁頭円錐部１１ｆのほぼ全面を密着するように覆っている。このカバー部材１２の外表面には、放射状に線分を有する凹凸面１２ａが設けられており、これらの凹凸面１２ａの線分１２ｂに沿って屈曲し得るようになっている。
【００１０】
図５はこのようにして組立て、電線束Ｗを挿通したグロメットをパネルＰの円形孔Ｐａ内に挿入する過程の説明図を示し、カバー部材１２を円形孔Ｐａに当てがって押し込むと、カバー部材１２の凹凸面１２ａが円形孔Ｐａの内縁を滑動しながら入り込み、線分１２ｂを折り込むことによって外径がすぼまると、グロメット本体１１の裁頭円錐部１１ｆもこれに追従して外径がすぼまることになる。
【００１１】
更に押し込むことにより、カバー部材１２、裁頭円錐部１１ｆは円形孔Ｐａ内を潜り抜け、これらはその弾発性により復元し、点線で示すように環状溝１１ｅが円形孔Ｐａの内縁に係合する。これにより、電線束Ｗを保持したグロメットがパネルＰに対し前後移動不能にかつ水密に固定されることとなる。
【００１２】
図６は第２の実施の形態の正面図、図７は断面図、図８はカバー部材の正面図を示している。合成樹脂又は金属から成るカバー部材２２の内側のリング２２ａに、複数個の切片２２ｂがひれ状に付設され、これらの切片２２ｂは放射状に配置され、グロメット本体１１の裁頭円錐部１１ｆに接するように外側に傾斜している。また、各切片２２ｂの内側には係止爪２２ｃが設けられており、これらの係止爪２２ｃは裁頭円錐部１１ｆに形成された係止溝１１ｂに嵌入されている。
【００１３】
このように構成した第２の実施の形態においても、パネル部Ｐの円形孔Ｐａに挿入するに際して、カバー部材２２が円形孔Ｐａにならってすぼまり、これに追従してグロメット本体１１が変形するので、挿入が容易となる。
【００１４】
なお、大径筒部１１ｂを設け挿通される電線束Ｗの周囲に余剰空間部を形成しているので、電線束Ｗの間を通り抜ける衝撃波状の雑音の音圧をこの余剰空間部内で平滑するため、遮音効果を有する。また、第１の小径筒部１１ａと大径筒部１１ｂ間に設けたリング部１１ｇはこれらの間の空間を機械的に遮断し、遮音効果を助長する。
【００１５】
【発明の効果】
以上説明したように本発明に係るグロメットは、ゴム製のグロメット本体に硬質の変形可能なカバー部材を被着したので、電線束を挿通した状態でパネルの円形孔に容易に挿入することができる。
【図面の簡単な説明】
【図１】第１の実施の形態の正面図である。
【図２】側面図である。
【図３】断面図である。
【図４】カバー部材の正面図である。
【図５】パネルにグロメットを嵌合する過程の説明図である。
【図６】第２の実施の形態の正面図である。
【図７】断面図である。
【図８】カバー部材の正面図である。
【図９】従来例のグロメットの斜視図である。
【符号の説明】
１１  グロメット本体
１１ａ、１１ｃ  小径筒部
１１ｂ  大径筒部
１１ｄ  フランジ部
１１ｅ  環状溝
１１ｆ  裁頭円錐面
１１ｈ  係止溝
１２、２２  カバー部材
１２ａ  凹凸面
１２ｂ  線分
２２ａ  リング
２２ｂ  切片
２２ｃ  係止爪
【図１】
2004343889.tif 000003
【図２】
2004343889.tif 000004
【図３】
2004343889.tif 000005
【図４】
2004343889.tif 000006
【図５】
2004343889.tif 000007
【図６】
2004343889.tif 000008
【図７】
2004343889.tif 000009
【図８】
2004343889.tif 000010
【図９】
2004343889.tif 000011